(57)【要約】      （修正有）【課題】印刷済みの用紙を、裏返さずに貯留する排紙部と裏返した後に貯留する排紙部とを備え、排紙先を選択できる印刷装置において、連続排紙を効率的に行う。【解決手段】印刷制御部３３が、選択された一方の排紙部３１，３２が印刷済みの用紙を各頁画像が昇順となった状態で貯留するように印刷部２１，２４，２５，２６，２７，２８を制御し、印刷制御部３３が、印刷処理中に排紙先を、一方の排紙部３１，３２から他方の排紙部３２，３１に切り替える切替指示を出力すると、第２または第３反転部２９，３０が、切替指示に基づいて、他方の排紙部３２，３１に貯留する印刷済用紙ＡＰを裏返す。【選択図】図１
2013226696.tif 000002
【特許請求の範囲】
【請求項１】
用紙の表および／または裏に頁画像を順次形成する印刷処理を施す印刷部と、前記印刷済みの用紙を貯留する第１の排紙部と、該第１の排紙部に対して裏返した前記印刷済みの用紙を貯留する第２の排紙部とを備え、前記第１の排紙部および前記第２の排紙部のうち、いずれか一方の排紙部を排紙先として選択できる印刷装置において、
前記選択された一方の排紙部が前記印刷済みの用紙を前記各頁画像が昇順または降順に重なった状態で貯留するように、前記印刷部を制御する印刷制御部と、
前記印刷処理中に前記排紙先を、前記一方の排紙部から他方の排紙部に切り替える切替指示を出力する切替指示部と、
前記切替指示に基づいて、前記他方の排紙部に貯留する前記印刷済みの用紙を裏返して表裏を反転させる表裏反転手段とを備えたことを特徴とする印刷装置。
【請求項２】
用紙の表および／または裏に頁画像を順次形成する印刷処理を施す印刷部と、前記印刷済みの用紙を貯留する第１の排紙部と、該第１の排紙部に対して裏返した前記印刷済みの用紙を貯留する第２の排紙部とを備え、前記第１の排紙部および前記第２の排紙部のうち、いずれか一方の排紙部を排紙先として選択できる印刷装置において、
前記選択された一方の排紙部が前記印刷済みの用紙を前記各頁画像が昇順または降順に重なった状態で貯留するように、前記印刷部を制御する印刷制御部と、
前記印刷処理中に前記排紙先を、前記一方の排紙部から他方の排紙部に切り替える切替指示を出力する切替指示部と、
前記切替指示に基づいて、前記他方の排紙部に貯留する前記用紙に対する前記頁画像の形成順を反転するように、前記印刷部を制御する表裏反転手段とを備えたことを特徴とする印刷装置。
【請求項３】
前記一方の排紙部に貯留する前記印刷済みの用紙を選択的に裏返す選択反転部を備え、
前記表裏反転手段が、前記切り替え前に前記選択反転部が前記裏返を行っていないときに前記反転を行い、前記切り替え前に前記選択反転部が前記裏返を行っているときには前記反転を行わないものであることを特徴とする請求項１または２に記載の印刷装置。
【請求項４】
前記一方の排紙部に貯留されていない前記印刷済み用紙の残留を検出する残留用紙検出部を備え、
前記切替指示部が、前記印刷済み用紙の検出結果に基づいて、前記印刷済み用紙が残留していないとき、前記切替指示を出力するものであることを特徴とする請求項１〜３のいずれか１項に記載の印刷装置。
【発明の詳細な説明】
【技術分野】
【０００１】
本発明は、用紙の表および／または裏に頁画像を順次形成する印刷処理を施す印刷部と、印刷済みの用紙を貯留する第１の排紙部と、裏返した印刷済みの用紙を貯留する第２の排紙部とを備え、第１の排紙部および第２の排紙部のうち、いずれか一方の排紙部を排紙先として選択できる印刷装置に関するものである。
【背景技術】
【０００２】
従来、印刷済み用紙を貯留する排紙部を２つ備えた印刷装置であって、一方の排紙部は印刷済み用紙を貯留し、他方の排紙部は裏返した印刷済み用紙を貯留するのであり、これら２つの排紙部のいずれかに排紙先を選択できる印刷装置が知られている。
【０００３】
ところで、２つの排紙部を備えた印刷装置において、選択した排紙部が貯留可能枚数を超えた等の理由で印刷済み用紙の貯留が困難となったとき、選択していない他方の排紙部に排紙先を切り替えて引き続き連続して排紙（以下、連続排紙と称する）したい場合がある。しかしながら、一方の排紙部は印刷済み用紙を裏返すことなく貯留し、他方の排紙部は印刷済み用紙を裏返して貯留するため、両排紙部に貯留された印刷済み用紙は互いに表裏が反転している状態にある。したがって、印刷装置が、切り替え前の選択した排紙部に印刷済み用紙が頁番号を昇順または降順で重ねた状態で貯留されるように、印刷処理を施しているとき、そのまま排紙先を切り替ると、表裏が反転されてしまい、切り替え後の排紙部では、切り替え前の排紙部と同様の印刷済みの用紙は頁番号が昇順で重なった状態にならず、ユーザは印刷済み用紙を入れ替えなければならない。
【０００４】
特許文献１には、排紙先を切り替えたとき、切り替え後は各頁データの頁順を並び変える技術、すなわち切り替え前に昇順に並んでいた頁データは降順に並び変え、切り替え前に降順に並んでいた頁データを昇順に並び変える技術が提案されている。
【先行技術文献】
【特許文献】
【０００５】
【特許文献１】特開２００９−２５５３０６号公報
【発明の概要】
【発明が解決しようとする課題】
【０００６】
しかしながら、頁データの並び順を入れ替えるには、印刷装置内で全頁データを一旦記憶して並び順を変更する必要があり、特に頁数が多いときは大量の記憶容量を設ける必要があるとともに、データ処理に時間を要してしまい、効率的に連続排紙できない虞がある。
【０００７】
本発明は、上記事情に鑑み、印刷済みの用紙を貯留する排紙部と裏返した後の印刷済みの用紙を貯留する排紙部とを備え、排紙先を選択できる印刷装置において、連続排紙を効率的に行う印刷装置を提供することを目的とする。
【課題を解決するための手段】
【０００８】
上記の課題を解決するために、本発明の第１の印刷装置は、用紙の表および／または裏に頁画像を順次形成する印刷処理を施す印刷部と、印刷済みの用紙を貯留する第１の排紙部と、第１の排紙部に対して裏返した印刷済みの用紙を貯留する第２の排紙部とを備え、第１の排紙部および第２の排紙部のうち、いずれか一方の排紙部を排紙先として選択できる印刷装置において、選択された一方の排紙部が印刷済みの用紙を各頁画像が昇順または降順に重ねた状態で貯留するように、印刷部を制御する印刷制御部と、印刷処理中に排紙先を、一方の排紙部から他方の排紙部に切り替える切替指示を出力する切替指示部と、切替指示に基づいて、他方の排紙部に貯留する印刷済みの用紙を裏返して表裏を反転する表裏反転手段とを備えたことを特徴とする。
【０００９】
本発明の第２の印刷装置は、用紙の表および／または裏に頁画像を順次形成する印刷処理を施す印刷部と、印刷済みの用紙を貯留する第１の排紙部と、第１の排紙部に対して裏返した印刷済みの用紙を貯留する第２の排紙部とを備え、第１の排紙部および第２の排紙部のうち、いずれか一方の排紙部を排紙先として選択できる印刷装置において、選択された一方の排紙部が印刷済みの用紙を各頁画像が昇順または降順に重なった状態で貯留するように、印刷部を制御する印刷制御部と、印刷処理中に排紙先を、一方の排紙部から他方の排紙部に切り替える切替指示を出力する切替指示部と、切替指示に基づいて、他方の排紙部に貯留する用紙に対する頁画像の形成順を反転するように、印刷部を制御する表裏反転手段とを備えたことを特徴とする。
【００１０】
本発明の第１および第２の印刷装置における「裏返」とは、用紙自体を反転させることを意味する。また、上記「各頁画像が昇順または降順に重ねた状態」とは、片面印刷された印刷済み用紙においては、頁画像が下向けて下から順々に頁番号が昇順するように重ねる状態または頁画像が上を向けて下から順々に頁番号が降順するように重ねる状態、両面印刷された印刷済み用紙においては、同一用紙で頁番号の小さい頁画像を下に向けて下から順々に頁番号が昇順するように重ねる状態または同一用紙で頁番号の小さい頁画像を上に向けて下から順々に頁番号が昇順するように重ねる状態を意味する。
【００１１】
また、本発明の印刷装置は、一方の排紙部に貯留する印刷済みの用紙を選択的に裏返す選択反転部を備え、表裏反転手段が、切り替え前に前記選択反転部が裏返を行っていないときに反転を行い、切り替え前に選択反転部が裏返を行っているときには反転を行わないものであってもよい。
【００１２】
また、本発明の印刷装置は、一方の排紙部に貯留されていない印刷済み用紙の残留を検出する残留用紙検出部を備え、切替指示部が、印刷済み用紙の検出結果に基づいて、印刷済み用紙が残留していないとき、切替指示を出力するものであってもよい。
【発明の効果】
【００１３】
本発明の第１の印刷装置によれば、選択された一方の排紙部が印刷済みの用紙を各頁画像が昇順または降順に重ねた状態で貯留するように印刷処理を行い、印刷処理中に排紙先を、一方の排紙部から他方の排紙部に切り替えると、他方の排紙部に貯留する印刷済みの用紙を裏返して表裏を反転するため、複雑な処理を行う必要がなく、他方の排紙部に印刷済みの用紙が、一方の排紙部と同じ状態で各頁画像を昇順または降順に重ねて貯留でき、連続排紙を効率的に行える。
【００１４】
本発明の第２の印刷装置によれば、選択された一方の排紙部が印刷済みの用紙を各頁画像が昇順または降順に重ねた状態で貯留するように印刷処理を行い、印刷処理中に排紙先を、一方の排紙部から他方の排紙部に切り替えると、他方の排紙部に貯留する用紙に対する頁画像の形成順を反転するため、複雑な処理を行う必要がなく、他方の排紙部に印刷済みの用紙が、一方の排紙部と同じ状態で各頁画像を昇順または降順に重ねて貯留でき、連続排紙を効率的に行える。
【００１５】
また、本発明の第１および第２の印刷装置によれば、一方の排紙部に貯留する印刷済みの用紙を選択的に裏返す選択反転部を備え、切り替え前に選択反転部が裏返を行っていないときは反転を行い、切り替え前に選択反転部が裏返を行っているときには表裏の反転を行わないため、少なくとも一方の排紙部が裏返さない印刷済み用紙または裏返した印刷済み用紙を選択的に貯留できる印刷装置においても、連続排紙を効率的に行える。
【００１６】
また、本発明の第２の印刷装置によれば、一方の排紙部に貯留されていない印刷済み用紙の残留を検出し、印刷済み用紙が残留していないとき、切替指示を出力するものでるため、残留用紙の存在を気にすることなく、連続排紙を効率的に行える。また、本発明の第２の印刷装置のように、印刷済みの用紙自体を裏返して反転を行うものではなく、頁画像の形成順を反転を行う場合であっても、他方の排紙部に印刷済みの残留用紙を混在させてしまい、他方の排紙部に貯留された印刷済み用紙の一部が各頁画像を昇順または降順とならないことも回避できる。
【図面の簡単な説明】
【００１７】
【図１】印刷装置の概略構成図
【図２】片面印刷の昇順の頁データに基づく排紙先切り替えの模式図（その１）
【図３】片面印刷の降順の頁データに基づく排紙先切り替えの模式図（その１）
【図４】片面印刷の昇順の頁データに基づく排紙先切り替えの模式図（その２）
【図５】両面印刷の降順の頁データに基づく排紙先切り替えの模式図（その２）
【図６】両面印刷の昇順の頁データに基づく排紙先切り替えの模式図（その１）
【図７】両面印刷の降順の頁データに基づく排紙先切り替えの模式図（その１）
【図８】両面印刷の昇順の頁データに基づく排紙先切り替えの模式図（その２）
【図９】両面印刷の降順の頁データに基づく排紙先切り替えの模式図（その２）
【図１０】印刷装置の連続排紙の処理を示すフローチャート
【図１１】印刷装置の第２の実施形態の概略構成図
【図１２】印刷装置の第３の実施形態の概略構成図
【図１３】印刷装置の第４の実施形態の概略構成図
【図１４】印刷装置の第５の実施形態の概略構成図
【発明を実施するための形態】
【００１８】
以下、図面を参照して本発明の実施形態である印刷装置について詳細に説明する。そして、本実施形態の印刷装置は、排紙先の切り替え処理に特徴を有するものであるが、まず、印刷装置全体の構成について説明する。図１は、印刷装置１０の概略構成図である。印刷装置１０は、図１に示すように、コンピュータ１００と有線または無線ＬＡＮなどのネットワークを介して接続されるものであり、コンピュータ１００から出力された頁データに基づいて、印刷処理を行い、印刷済用紙ＡＰを貯留するものである。コンピュータ１００は、頁データを昇順または降順のいずれにも出力できる。
【００１９】
印刷装置１０は、印刷装置本体２０と、印刷装置本体２０に隣接して配置された中間搬送装置４０と、中間搬送装置４０に隣接して配置された後処理装置５０とから構成されるものである。印刷装置本体２０は、主に未印刷用紙ＮＰに印刷処理を施すものであり、中間搬送装置４０は、主に印刷装置本体２０から印刷済用紙ＡＰを搬入して後処理装置５０に搬出するものであり、後処理装置５０は、主に印刷済用紙ＡＰを貯留するものである。なお、本実施形態では、印刷装置１０を３つの別々の装置からなるものとして説明するが、特に限定されるものではなく、１つの装置で構成されていてもよい。
【００２０】
印刷装置１０は、印刷装置本体２０内にインクを下方に吐出する印刷ヘッド部２１を備えている。この印刷ヘッド部２１は、コンピュータ１００から出力された頁データに基づいて、片面印刷においては未印刷用紙ＰＳの表面または裏面、両面印刷においては、
未印刷表紙ＰＳの表面または裏面以外に片面印刷済用紙ＣＰの印刷済み面の反対面に頁画像を形成するものである。印刷ヘッド部２１は、ブラックＫ、シアンＣ、マゼンダＭ、イエローＹの各色のインクを吐出する複数のライン型のインクヘッドから構成されている。
【００２１】
また、印刷装置１０は、印刷装置本体２０内に未印刷用紙ＮＰを収納する複数のトレイから構成される給紙トレイ２２と、印刷装置本体２０に付設した給紙台２３とを備えている。また、印刷装置１０は、給紙トレイ２２または給紙台２３から印刷ヘッド部２１に向けて未印刷用紙ＡＰを搬送する給紙搬送部２４を備えている。給紙搬送部２４は、不図示の給紙ローラ等からなる給紙機構を備え、給紙台２３または給紙トレイ２２から未印刷用紙ＮＰをピックアップできる。
【００２２】
また、印刷装置１０は、印刷装置本体２０内に、未印刷用紙ＮＰ、片面印刷済用紙ＣＰまたは印刷済用紙ＡＰを印刷ヘッド部２１の下方を上流側から下流側に通過させ、各用紙ＮＰ，ＣＰ，ＡＰを裏返して印刷ヘッド部２１の上方を下流側から上流側に通過させ、再び各用紙ＮＰ，ＣＰ，ＡＰを裏返して印刷ヘッド部２１の下方に戻すループ状の循環経路を有する循環搬送部２５を備えている。そして、循環搬送部２５は、循環経路上で各用紙ＮＰ，ＣＰ，ＡＰを搬送する不図示の搬送ローラと、循環経路上に残留する各用紙ＮＰ，ＣＰ，ＡＰを検出する残留用紙検出センサ２５ａとを備えている。
【００２３】
また、印刷装置１０は、印刷ヘッド部２１の下方の循環経路から印刷済用紙ＡＰを、中間搬送装置４０を経て後処理装置５０内の後述する第１排紙部３１に搬送する第１排紙搬送経路を有する第１排紙搬送部２６を備えている。そして、第１排紙搬送部２６は、印刷済用紙ＡＰを循環経路から選択的に搬入する不図示のフラップと、第１搬送経路上で印刷済用紙ＡＰを搬送する不図示の搬送ローラと、第１搬送経路上に残留する印刷済みを検出する残留用紙検出センサ２６ａとを備えている。
【００２４】
また、印刷装置１０は、印刷ヘッド部２１の上方の循環経路から印刷済用紙ＡＰを、後述する第２排紙部３２に搬送する第２排紙搬送経路をゆする第２排紙搬送部２７を備えている。そして、第２排紙搬送部２７は、印刷済用紙ＡＰを循環経路から選択的に搬入する不図示のフラップと、第２搬送経路上で印刷済用紙ＡＰを搬送する不図示の搬送ローラと、第２搬送経路上に残留する印刷済みを検出する残留用紙検出センサ２７ａとを備えている。
【００２５】
また、印刷装置１０は、循環経路から各用紙ＮＰ，ＣＰ，ＡＰを選択的に搬入し、搬入した各用紙ＮＰ，ＣＰ，ＡＰを裏返して再び循環経路に搬出する第１反転部２８を備えている。そして、第１反転部２８は、各用紙ＮＰ，ＣＰ，ＡＰを選択的に搬入させる不図示のフラップと、第１反転部２８内に残留する印刷済用紙ＡＰを検出する残留用紙検出センサ２８ａを有している。
【００２６】
また、印刷装置１０は、中間搬送装置４０内に、第１排紙搬送経路から印刷済用紙ＡＰを選択的に搬入し、搬入した印刷済用紙ＡＰを裏返して第１排紙搬送経路に搬出する第２反転部２９を備えている。そして、第２反転部２９は、印刷済用紙ＡＰを選択的に搬入させる不図示のフラップを有している。
【００２７】
また、印刷装置１０は、第２排紙搬送経路から印刷済用紙ＡＰを選択的に搬入し、搬入した印刷済用紙ＡＰを裏返して第２排紙搬送経路に搬出する第３反転部３０を備えている。そして、第３反転部３０は、印刷済用紙ＡＰを選択的に搬入させる不図示のフラップを有している。
【００２８】
また、印刷装置１０は、後処理装置５０内に、第１排紙搬送部２６によって搬送された印刷済用紙ＡＰを複数のトレイに貯留する第１排紙部３１を備えている。また、第１排紙部３１は、各トレイの印刷済用紙ＡＰが貯留可能枚数を超えているか否かを検出する貯留枚数センサ３１ａを有している。
【００２９】
また、印刷装置１０は、第２排紙搬送部２７によって搬送された印刷済用紙ＡＰを貯留する第２排紙部３２を備えている。また、第２排紙部３２は、印刷済用紙ＡＰが貯留可能枚数を超えているか否かを検出する貯留枚数センサ３２ａを有している。
【００３０】
また、印刷制御部３３は、コンピュータ１００から受け取った頁データに基づいて未印刷用紙ＡＰの表面および／または頁画像が形成されるように、各部を制御するものである。そして、印刷制御部３３は、印刷済用紙ＡＰを第１排紙部３１または第２排紙部３２のいずれに貯留させるかの指示を受け付け、選択された第１排紙部３１または第２排紙部３２に印刷済用紙ＡＰが貯留されるように、各部を制御するものである。また、印刷制御部３３は、選択した排紙部において貯留可能枚数を超えると、印刷処理が中断することなく他方の排紙部に連続排紙するように、排紙先を切り替える切替指示を出力して各部を制御するものでもある。
【００３１】
印刷制御部３３は、頁データに含まれている排紙先の選択に基づいて排紙部を選択してもよく、印刷装置１０に設けられた不図示の操作画面からのユーザ操作に基づいて排紙先を選択してもよい。また、印刷制御部３３は、不図示の操作画面からのユーザ操作に基づいて、切替指示を出力してもよい。また、印刷制御部３３は、コンピュータ１００から受け取った頁データが昇順であるか降順であるかに基づいて、選択された排紙部が印刷済用紙ＡＰを頁画像が昇順または降順となる状態で重ねて貯留するように、各部を制御するものである。
【００３２】
ここで、図１に示すように、第１排紙部３１は、第２反転部２９で裏返さない限り、印刷ヘッド部２１の下方を通過した印刷済用紙ＡＰを裏返さずに貯留し、第２排紙部３２は、第３反転部３０で裏返さない限り、印刷ヘッド部２１の下方を通過した印刷済用紙ＡＰを裏返して貯留するものである。
【００３３】
したがって、第１排紙部３１に貯留された印刷済用紙ＡＰと第２排紙部３２に貯留された印刷済用紙ＡＰとでは、互いに表裏が反転する関係にあり、単に排紙先を切り替えて連続排紙を行うと、他方の排紙部が印刷済用紙ＡＰを頁番号が昇順または降順となる状態で重ねて貯留できず、ユーザが印刷済み用紙を入れ替えなければならない不具合が生じる。以下、この点について詳細に説明する。なお、以下に説明する図２〜図９においては、数字は頁番号に対応する頁画像を示し、頁画像の向きを数字の上下位置で示し、各排紙部においては印刷済用紙ＡＰの貯留状態を示し、それ以外の各部では上から順々に作用される状態を示している。
【００３４】
図２は、片面印刷において頁画像が昇順で構成されている頁データに基づく印刷処理において、第１排紙部３１から第２排紙部３２へ排紙先を切り替える態様の模式図である。印刷制御部３３は、図２に示すように、切り替え前、昇順の頁データに基づいて印刷ヘッド部２１が頁画像を昇順に印刷し、第１反転部２８が印刷済用紙ＡＰを順次裏返し、第１排紙部３１が、頁画像を下に向けて頁番号が下から昇順するように、印刷済用紙ＡＰを順次重ねて貯留する。
【００３５】
そして、図２の破線矢印で示すように、そのまま排紙先を変更すると、循環搬送部２５が印刷済用紙ＡＰは裏返すため、第２排紙部３２は、頁画像を上に向けて頁番号が下から昇順するように、印刷済用紙ＡＰを順次重ねて貯留してしまう。したがって、印刷制御部３３は、図２の実線矢印に示すように、第３反転部３０に印刷済用紙ＡＰを裏返させることにより、第２排紙部３２が、頁画像を下に向けて頁番号が下から昇順する状態で印刷済用紙ＡＰを貯留できる。
【００３６】
また、第３反転部３０で印刷済用紙ＡＰを裏返すことなく、印刷制御部３３が、印刷ヘッド部２１での同一用紙における形成順序を反転させてもよい。すなわち印刷制御部３３は、切り替え前、未印刷用紙ＮＰに頁画像を形成し、第１反転部２８で裏返した後に片面印刷済用紙ＣＰに空白画像を形成し、第１反転部２８で再び裏返して元の向きに戻す両面印刷よって片面印刷を実現しているものとし、切り替えた後は、まず未印刷用紙ＮＰに空白画像を形成し、その後、第１反転部２８で裏返した後に片面印刷済用紙ＣＰに頁画像を形成し、再び第１反転部２８で裏返して元の向きに戻すことにより、第３反転部３０で印刷済用紙ＡＰ自体を裏返すのと実質的に同様の表裏反転をさせてもよい。
【００３７】
図３は、片面印刷において頁画像が降順で構成されている頁データに基づく印刷処理において、第１排紙部３１から第２排紙部３２へ排紙先を切り替える態様の模式図である。印刷制御部３３は、図３に示すように、切り替え前、降順の頁データに基づいて印刷ヘッド部２１が頁画像を降順に印刷し、第１排紙部３１が、頁画像を上に向けて頁番号が下から降順するように、印刷済用紙ＡＰを順次重ねて貯留する。
【００３８】
そして、図３の破線矢印で示すように、そのまま排紙先を変更すると、循環搬送部２５が印刷済用紙ＡＰは裏返すため、第２排紙部３２は、頁画像を下に向けて頁番号が下から降順するように、印刷済用紙ＡＰを順次重ねて貯留してしまう。したがって、印刷制御部３３は、図３の実線矢印に示すように、第３反転部３０が印刷済用紙ＡＰを裏返すことにより、第２排紙部３２が、頁画像を上に向けて頁番号が下から降順するように、印刷済用紙ＡＰを順次重ねて貯留できる。また、第３反転部３０で印刷済用紙ＡＰを裏返すことなく、印刷制御部３３が、印刷ヘッド部２１での同一用紙における形成順序を反転させてもよい。
【００３９】
図４は、片面印刷において頁画像が昇順で構成されている頁データに基づく印刷処理において、第２排紙部３２から第１排紙部３１へ排紙先を切り替える態様の模式図である。印刷制御部３３は、図４に示すように、切り替え前、昇順の頁データに基づいて印刷ヘッド部２１が頁画像を昇順に印刷し、循環搬送部２５が印刷済用紙ＡＰは裏返し、第２排紙部３２が、頁画像を下に向けて頁番号が下から昇順するように、印刷済用紙ＡＰを順次重ねて貯留する。
【００４０】
そして、図４の破線矢印で示すように、そのまま排紙先を変更すると、第１排紙部３１は、頁画像を上に向けて頁番号が下から昇順するように、印刷済用紙ＡＰを順次重ねて貯留してしまう。したがって、印刷制御部３３は、図４の実線矢印に示すように、第２反転部２９が印刷済用紙ＡＰを裏返すことにより、第１排紙部３１が、頁画像を下に向けて頁番号が下から昇順するように、印刷済用紙ＡＰを順次重ねて貯留できる。また、第２反転部２９で印刷済用紙ＡＰを裏返すことなく、印刷制御部３３が、印刷ヘッド部２１での同一用紙における形成順序を反転させてもよい。
【００４１】
図５は、片面印刷において頁画像が降順で構成されている頁データに基づく印刷処理において、第２排紙部３２から第１排紙部３１へ排紙先を切り替える態様の模式図である。印刷制御部３３は、図５に示すように、切り替え前、降順の頁データに基づいて印刷ヘッド部２１が頁画像を降順に印刷し、第１反転部２８が印刷済用紙ＡＰを裏返し、循環搬送部２５が印刷済用紙ＡＰは裏返し、第２排紙部３２が、頁画像を上に向けて頁番号が下から降順するように、印刷済用紙ＡＰを順次重ねて貯留する。
【００４２】
そして、図５の破線矢印で示すように、そのまま排紙先を変更すると、第１排紙部３１は、頁画像を下に向けて頁番号が下から降順するように、印刷済用紙ＡＰを順次重ねて貯留してしまう。したがって、印刷制御部３３は、図５の実線矢印に示すように、第２反転部２９が印刷済用紙ＡＰを裏返すことにより、第１排紙部３１が、頁画像を上に向けて頁番号が下から降順するように、印刷済用紙ＡＰを順次重ねて貯留できる。また、第２反転部２９で印刷済用紙ＡＰを裏返すことなく、印刷制御部３３が、印刷ヘッド部２１での同一用紙における形成順序を反転させてもよい。
【００４３】
図６は、両面印刷において頁画像が昇順で構成されている頁データに基づく印刷処理において、第１排紙部３１から第２排紙部３２へ排紙先を切り替える態様の模式図である。印刷制御部３３は、図６に示すように、切り替え前、昇順の頁データに基づいて印刷ヘッド部２１が頁画像を昇順に印刷し、第１反転部２８が片面印刷済用紙ＣＰを順次裏返し、印刷ヘッド部が再び頁画像を昇順に印刷し、第１排紙部３１が、同一用紙において頁番号の小さい頁画像を下に向けて頁番号が下から昇順するように、印刷済用紙ＡＰを順次重ねて貯留する。なお、第１反転部２８の代わりに第２反転部２９で裏返してもよい。
【００４４】
そして、図６の破線矢印で示すように、そのまま排紙先を変更すると、循環搬送部２５が印刷済用紙ＡＰは裏返すため、第２排紙部３２は、同一用紙において頁番号の小さい頁画像を上に向けて印刷済用紙ＡＰを順次重ねて貯留してしまう。したがって、印刷制御部３３は、図６の実線矢印に示すように、第３反転部３０が印刷済用紙ＡＰを裏返すことにより、第２排紙部３２が、同一用紙において頁番号の小さい頁画像を下に向けて頁番号が下から昇順するように、印刷済用紙ＡＰを順次重ねて貯留できる。また、第３反転部３０で印刷済用紙ＡＰを裏返すことなく、印刷制御部３３が、印刷ヘッド部２１での同一用紙における形成順序を反転させてもよい。
【００４５】
図７は、両面印刷において頁画像が降順で構成されている頁データに基づく印刷処理において、第１排紙部３１から第２排紙部３２へ排紙先を切り替える態様の模式図である。印刷制御部３３は、図７に示すように、切り替え前、降順の頁データに基づいて印刷ヘッド部２１が頁画像を降順に印刷し、第１反転部２８が片面印刷済用紙ＣＰを順次裏返し、印刷ヘッド部が再び頁画像を降順に印刷し、第１排紙部３１が、同一用紙において頁番号の小さい頁画像を上に向けて頁番号が下から降順するように、印刷済用紙ＡＰを順次重ねて貯留する。
【００４６】
そして、図７の破線矢印で示すように、そのまま排紙先を変更すると、循環搬送部２５が印刷済用紙ＡＰは裏返すため、第２排紙部３２は、同一用紙において頁番号の小さい頁画像を下に向けて印刷済用紙ＡＰを順次重ねて貯留してしまう。したがって、印刷制御部３３は、図７の実線矢印に示すように、第３反転部３０が印刷済用紙ＡＰを裏返すことにより、第２排紙部３２が、同一用紙において頁番号の小さい頁画像を上に向けて頁番号が下から降順するように、印刷済用紙ＡＰを順次重ねて貯留できる。また、第３反転部３０で印刷済用紙ＡＰを裏返すことなく、印刷制御部３３が、印刷ヘッド部２１での同一用紙における形成順序を反転させてもよい。
【００４７】
図８は、両面印刷において頁画像が昇順で構成されている頁データに基づく印刷処理において、第２排紙部３２から第１排紙部３１へ排紙先を切り替える態様の模式図である。印刷制御部３３は、図８に示すように、切り替え前、昇順の頁データに基づいて印刷ヘッド部２１が頁画像を昇順に印刷し、第１反転部２８が片面印刷済用紙ＣＰを順次裏返し、印刷ヘッド部が再び頁画像を昇順に印刷し、循環搬送部２５が印刷済用紙ＡＰを裏返し、第２排紙部３２が、同一用紙において頁番号の小さい頁画像を下に向けて頁番号が下から昇順するように、印刷済用紙ＡＰを順次重ねて貯留する。
【００４８】
そして、図８の破線矢印で示すように、そのまま排紙先を変更すると、第１排紙部３１は、同一用紙において頁番号の小さい頁画像を上に向けて印刷済用紙ＡＰを順次重ねて貯留してしまう。したがって、印刷制御部３３は、図８の実線矢印に示すように、第２反転部２９が印刷済用紙ＡＰを裏返すことにより、第１排紙部３１が、同一用紙において頁番号の小さい頁画像を下に向けて頁番号が下から昇順するように、印刷済用紙ＡＰを順次重ねて貯留できる。また、第２反転部２９で印刷済用紙ＡＰを裏返すことなく、印刷制御部３３が、印刷ヘッド部２１での同一用紙における形成順序を反転させてもよい。
【００４９】
図９は、両面印刷において頁画像が降順で構成されている頁データに基づく印刷処理において、第２排紙部３２から第１排紙部３１へ排紙先を切り替える態様の模式図である。印刷制御部３３は、図９に示すように、切り替え前、降順の頁データに基づいて印刷ヘッド部２１が頁画像を降順に印刷し、第１反転部２８が片面印刷済用紙ＣＰを順次裏返し、印刷ヘッド部が再び頁画像を降順に印刷し、循環搬送部２５が印刷済用紙ＡＰを裏返し、第２排紙部３２が、同一用紙において頁番号の小さい頁画像を上に向けて頁番号が下から降順するように、印刷済用紙ＡＰを順次重ねて貯留する。
【００５０】
そして、図９の破線矢印で示すように、そのまま排紙先を変更すると、第１排紙部３１は、同一用紙において頁番号の小さい頁画像を下に向けて印刷済用紙ＡＰを順次重ねて貯留してしまう。したがって、印刷制御部３３は、図９の実線矢印に示すように、第２反転部２９が印刷済用紙ＡＰを裏返すことにより、第１排紙部３１が、同一用紙において頁番号の小さい頁画像を上に向けて頁番号が下から降順するように、印刷済用紙ＡＰを順次重ねて貯留できる。また、第３反転部３０で印刷済用紙ＡＰを裏返すことなく、印刷制御部３３が、印刷ヘッド部２１での同一用紙における形成順序を反転させてもよい。
【００５１】
図１に示す実施形態では、第１排紙部３１および第２排紙部の直前に、印刷済用紙ＡＰを選択的に裏返せる第２反転部２９および第３反転部を備えている。そのため、印刷制御部３３は、第１排紙部３１を選択した際、第２反転部２９で印刷済用紙ＡＰを裏返した上で、第１排紙部３１が印刷済用紙ＡＰを頁画像が昇順または降順となる状態で貯留するように、各部を制御することもできる。この場合、図２、図３、図６および図７と同様に、
印刷制御部３３が、切り替えた後、第３反転部３０で印刷済用紙ＡＰを裏返すと、第２排紙部３２が印刷済用紙ＡＰを頁画像が昇順または降順となる状態で貯留できなくなってしまう。
【００５２】
同様に、印刷制御部３３は、第２排紙部３２を選択した際、第３反転部３０で印刷済用紙ＡＰを裏返した上で、第２排紙部３２が印刷済用紙ＡＰを頁画像が昇順または降順となる状態で貯留するように、各部を制御することもできる。この場合も、図４、図５、図８および図９と同様に、印刷制御部３３が、切り替えた後、第２反転部２９で印刷済用紙ＡＰを裏返すと、第１排紙部３１が印刷済用紙ＡＰを頁画像が昇順または降順となる状態で貯留できなくなってしまう。
【００５３】
したがって、印刷制御部３３は、第１排紙部３１を選択した際は、切り替え前に第２反転部２９で印刷済用紙ＡＰを裏返した上で第１排紙部３１が印刷済用紙ＡＰを頁画像が昇順または降順となる状態で貯留していないときに、第３反転部３０で印刷済用紙ＡＰを裏返すように制御し、第２排紙部３２を選択した際は、第３反転部３０で印刷済用紙ＡＰを裏返した上で、第２排紙部３２が印刷済用紙ＡＰを頁画像が昇順または降順となる状態で貯留していないときに、第２反転部２９で印刷済用紙ＡＰを裏返すように制御する。
【００５４】
また、印刷制御部３３は、第１排紙部３１を選択して印刷処理を行っている際に貯留枚数センサ３１ａから第１排紙部３１の用紙が貯留可能枚数を超えたとの信号を受け取ると、もしくは、第２排紙部３２を選択して印刷処理を行っている際に貯留枚数センサ３２ａから第２排紙部３２の用紙が貯留可能枚数を超えたとの信号を受け取ると、残留用紙検出センサ２５ａ，２６ａ，２７ａからの信号に基づいて、印刷装置１０内に残留する印刷済用紙ＡＰが選択した排紙先に貯留されたのを確認した後、切替信号を出力して図２〜図９に示すような連続排紙をするように、各部を制御する。
【００５５】
また、印刷装置１０が残留用紙検出センサ２５ａ，２６ａ，２７ａを備えていない場合、印刷制御部３３は、印刷済用紙ＡＰが印刷装置１０内に残留しているものと想定し、第１排紙部３１に切り替えたときは第２反転部２９、第２排紙部３２に切り替えたときは第３反転部３０において、直ちに印刷済用紙ＡＰを裏返させてもよい。
【００５６】
印刷装置１０の作用について説明する。図１０は、印刷装置１０による連続排紙の一連の処理を示すフローチャートである。印刷装置１０は、頁データを受け取るとともに、第１排紙部３１または第２排紙部３２のいずれかを選択して印刷処理を行い（ＳＴ１）、印刷済用紙ＡＰを選択された一方の排紙部３１，３２に排紙する（ＳＴ２）。
【００５７】
印刷制御部３３が、貯留枚数センサ３１ａまたは貯留枚数センサ３２ａからの検出信号に基づいて、一方の排紙部３１，３２が貯留可能枚数を超えているか否かを確認し（ＳＴ３）、超えていなければ、引き続き選択された一方の排紙部３１，３２への印刷処理および排紙を継続する。そして、印刷制御部３３は、一方の排紙部３１，３２が貯留可能枚数を超えているとき、残留用紙検出センサ２５ａ，２６ａ，２７ａに基づいて、印刷装置１０内に印刷済用紙ＡＰが残留しているか否かを確認し（ＳＴ４）、残留しているときは、印刷処理を一旦中断し印刷装置１０内に印刷済用紙ＡＰが選択された一方の排紙部３１，３２に排紙されるまで待機する。
【００５８】
印刷制御部３３は、印刷装置１０内に印刷済用紙ＡＰが残留しないとき、切替指示を出力し（ＳＴ５）、印刷処理が中断していたときは再開するとともに、切り替え前に、第２反転部２９または第３反転部３０で反転していたかを確認し（ＳＴ６）、反転していたときは反転を行うことなく他方の排紙部３２，３１に排紙し、反転していないときは反転して他方の排紙部３２，３１に排紙する。印刷制御部３３は、全ての頁を印刷したかを確認し（ＳＴ９）、全ての頁を印刷していないときは他方の排紙部３２，３１への印刷処理および排紙を継続し、全ての頁を印刷したときはその印刷処理を終了する。
【００５９】
印刷装置１０の他の実施形態について説明する。図１１は循環搬送部２５がループ状を構成しない態様の第２の実施形態を示す図である。循環搬送部２５は第２排紙部３２に向けて搬送するときにのみ、印刷済用紙ＡＰを裏返して印刷ヘッド部２１の上方で下流から上流へ搬送し、第１反転部２８に向けて排紙するときは、印刷ヘッド部２１の下方で下流から上流へ戻して搬送する。第２の実施形態は循環搬送部２５がループ状を構成しない点でのみ第１の実施形態と相違し、その他の作用は同じであるため、これ以上の詳細な説明は省略する。
【００６０】
図１２は、第３反転部３０を備えない態様の第３の実施形態を示す図である。第３の実施形態は第３反転部３０を備えないため、第１排紙部３１から第２排紙部３２へ切り替えるとき、第１反転部２８を第３反転部３０として機能させる点でのみ、第１の実施形態と相違し、その他の作用は同じであるため、これ以上の詳細な説明は省略する。
【００６１】
図１３は、第２反転部２９を備えない態様の第４の実施形態を示す図である。第４の実施形態は第２反転部２９を備えないため、第２排紙部３２から第１排紙部３１へ切り替えるとき、第１反転部２８を第２反転部２９として機能させる点でのみ、第１の実施形態と相違し、その他の作用は同じであるため、これ以上の詳細な説明は省略する。
【００６２】
図１４は、第２反転部２９および第３反転部３０を備えない態様の第５の実施形態を示す図である。第５の実施形態は第２反転部２９および第３反転部３０を備えないため、第１排紙部３１から第２排紙部３２へ切り替えるとき第１反転部２８を第３反転部３０として機能させ、第２排紙部３２から第１排紙部３１へ切り替えるとき第１反転部２８を第２反転部２９として機能させる点でのみ、第１の実施形態と相違し、その他の作用は同じであるため、これ以上の詳細な説明は省略する。
【００６３】
以上に述べた通り、本実施形態によれば、選択された一方の排紙部３１，３２が印刷済用紙ＡＰを各頁画像が昇順または降順となるように重ねて貯留している印刷処理中に、印刷制御部３３が切替指示を出力すると、第２または第３反転部２９，３０が印刷済用紙ＡＰを裏返すか、もしくは、印刷制御部３３が頁画像の形成順を入れ替えることで、印刷済用紙ＡＰを裏返すため、全頁データの並び替えを行わなくても、容易に他方の排紙部３２，３１が、印刷済用紙ＡＰを一方の排紙部３１，３２と同じ状態で各頁画像を昇順または降順に重ねて貯留でき、連続排紙を効率的に行える。
【００６４】
また、本実施形態によれば、切り替え前に、第２または第３の反転部２９，３０が印刷済用紙ＡＰを裏返した上で一方の排紙部３１，３２が印刷済用紙ＡＰを各頁画像が昇順または降順となるように重ねて貯留していたときは、第３または第２反転部３０，２９による印刷済用紙ＡＰの裏返しおよび印刷制御部３３による頁画像の形成順の入れ替えを行わず、切り替え前に、第２または第３の反転部２９，３０で印刷済用紙ＡＰを裏返すことなく一方の排紙部３１，３２が印刷済用紙ＡＰを各頁画像が昇順または降順となるように重ねて貯留していなときに、第３または第２反転部３０，２９による印刷済用紙ＡＰの裏返しまたは印刷制御部３３による頁画像の形成順の入れ替えるため、印刷済用紙ＡＰを選択的に裏返せる反転部２９，３０を少なくとも一方の排紙部３１，３２側に備えた印刷装置１０であっても、連続排紙を効率的に行える。
【００６５】
また、本実施形態によれば、印刷装置１０内に残留する印刷済用紙ＡＰが選択した排紙部３１，３２に排紙されたのを確認した上で連続排紙を効率的に行える。
【符号の説明】
【００６６】
ＡＰ  印刷済み用紙
ＮＰ  未印刷用紙
１０  印刷装置
２０  印刷装置本体
２１  印刷ヘッド部
２４  給紙搬送部
２５  循環搬送部
２６  第１排紙搬送部
２７  第２排紙搬送部
２８  第１反転部
２９  第２反転部
３０  第３反転部
３１  第１排紙部
３１ａ  貯留枚数センサ
３２  第２排紙部
３２ａ  貯留枚数センサ
３３  印刷制御部
【図１】
2013226696.tif 000003
【図２】
2013226696.tif 000004
【図３】
2013226696.tif 000005
【図４】
2013226696.tif 000006
【図５】
2013226696.tif 000007
【図６】
2013226696.tif 000008
【図７】
2013226696.tif 000009
【図８】
2013226696.tif 000010
【図９】
2013226696.tif 000011
【図１０】
2013226696.tif 000012
【図１１】
2013226696.tif 000013
【図１２】
2013226696.tif 000014
【図１３】
2013226696.tif 000015
【図１４】
2013226696.tif 000016